(57)【要約】【課題】  板体の見込寸法が異なる場合であっても窓の構成部品を兼用できるパネル体を提供する。【解決手段】  板体と、パネルと、キャップを備え、板体に窓を形成してあり、窓の表裏に開口部を有するキャップを取り付けてあって、開口部をパネルで塞いであり、一方のキャップは、開口部に見付寸法が異なるパネルを選択的に取付可能であって、小さいパネルは、大きいパネルの見付方向内周側位置であってかつ大きいパネルよりキャップの見込方向外側位置に取り付けるものであり、他方のキャップは、パネルに他方側から当接するものであって、小さいパネルには、大きいパネルよりキャップの見込方向外側位置で当接するものである。【選択図】      図１
2015108223.tif 000002
【特許請求の範囲】
【請求項１】
板体と、パネルと、キャップを備え、板体に窓を形成してあり、窓の表裏に開口部を有するキャップを取り付けてあって、開口部をパネルで塞いであり、一方のキャップは、開口部に見付寸法が異なるパネルを選択的に取付可能であって、小さいパネルは、大きいパネルの見付方向内周側位置であってかつ大きいパネルよりキャップの見込方向外側位置に取り付けるものであり、他方のキャップは、パネルに他方側から当接するものであって、小さいパネルには、大きいパネルよりキャップの見込方向外側位置で当接するものであることを特徴とするパネル体。
【発明の詳細な説明】
【技術分野】
【０００１】
本発明は、玄関ドアなどとして用いられるパネル体に関する。
【背景技術】
【０００２】
従来、採光のための窓を設けたドアがある。図６に示すように、窓１０５には、ドア本体１０１の見込方向中間位置に透光性のパネル１０２を配置してあり、ドア本体１０１の表裏両側からモール１０３を取り付け、パネル１０２を挟持して固定していた。
【発明の概要】
【発明が解決しようとする課題】
【０００３】
しかしながら、このような構成のドアにおいて、ドア本体の見込寸法が異なる複数種類のものを製造する場合、同じデザインであっても、見込寸法の違いに応じてそれぞれ専用のモールが必要となるので、部品点数が多くなり、費用がかかっていた。
【０００４】
本発明は、上記事情を鑑みたものであり、板体の見込寸法が異なる場合であっても窓の構成部品を兼用できるパネル体を提供することを目的とする。
【課題を解決するための手段】
【０００５】
本発明は、板体と、パネルと、キャップを備え、板体に窓を形成してあり、窓の表裏に開口部を有するキャップを取り付けてあって、開口部をパネルで塞いであり、一方のキャップは、開口部に見付寸法が異なるパネルを選択的に取付可能であって、小さいパネルは、大きいパネルの見付方向内周側位置であってかつ大きいパネルよりキャップの見込方向外側位置に取り付けるものであり、他方のキャップは、パネルに他方側から当接するものであって、小さいパネルには、大きいパネルよりキャップの見込方向外側位置で当接するものであることを特徴とする。
【発明の効果】
【０００６】
本発明によれば、見付寸法の異なるパネルを取り付けることにより、表裏のキャップを合わせた見込寸法を異ならせることができる。すなわち、小さいパネルを選択した場合、一方のキャップにおいては、大きいパネルよりキャップの見込方向外側位置に取り付けられ、他方のキャップにおいては、大きいパネルよりキャップの見込方向外側位置で当接するので、両側からキャップを取り付けると、パネルに対して両キャップは見込方向内側に位置して、表裏のキャップを合わせた見込寸法は小さくなる。逆に、大きいパネルを選択した場合、表裏のキャップを合わせた見込寸法は大きくなる。これにより、板体の見込寸法が異なるパネル体に対して、キャップを兼用することができるので、部品点数が少なくなり、費用を抑えることができる。
【図面の簡単な説明】
【０００７】
【図１】パネルの取付構造の説明図（図２のＡ−Ａ線断面図）であり、（ａ）は板体の見込寸法が小さい場合、（ｂ）は板体の見込寸法が大きい場合である。
【図２】パネル体の正面図である。
【図３】（ａ）〜（ｄ）は一方のキャップ（メスキャップ）の四面図であり、（ｅ）はＢ−Ｂ線断面図である。
【図４】（ａ）〜（ｄ）は他方のキャップ（オスキャップ）の四面図であり、（ｅ）はＣ−Ｃ線断面図である。
【図５】一方のキャップ（メスキャップ）に対するパネルの取付位置の説明図であり、（ａ）は小さいパネルの場合、（ｂ）は大きいパネルの場合である。
【図６】従来のドアに設けた窓におけるパネルの取付構造の説明図である。
【発明を実施するための形態】
【０００８】
以下、本発明の実施の形態を図面に基づいて説明する。このパネル体は、種々の建材として用いられるものであるが、ここではドアとして用いられる場合の例を示す。図２に示すように、パネル体は、長方形の板体１からなる。図１に示すように、板体１は、ペーパーハニカムからなる芯材１１の表裏両面に、ＭＤＦからなる表面板１２を取り付けて形成したものである。そして、板体１には、七つの窓５を設けてある。窓５は、何れも正方形で、大きさは大小二種類であり、各窓５の中心の上下方向位置及び左右方向位置が、相互に一致しないように配置してある。さらに、各窓５の表裏には、正方形の開口部３１，４１を有するキャップ３，４を取り付けてあり、開口部３１，４１を正方形のパネル２Ｓ，２Ｌで塞いである。ここで、パネル２Ｓ，２Ｌは二種類あって見付寸法が異なっており、板体１の見込寸法が小さい場合には小さいパネル２Ｓが、板体１の見込寸法が大きい場合には大きいパネル２Ｌが用いられる。そして、表裏の一方のキャップ３と他方のキャップ４とは、板体１に取り付けた状態で露出する部分の形状は同じであるが、板体１の内部に納まる部分の形状が異なっており、一方のキャップをメスキャップ３、他方のキャップをオスキャップ４とよぶ。また、メスキャップ３及びオスキャップ４は、それぞれ窓５の大きさに合わせて大小二種類あり、パネル２Ｓ，２Ｌも、大小のキャップ３，４に対してそれぞれ大小二種類（計四種類）あるが、形状は略同じであり、以下においては大きい窓５に取り付けるメスキャップ３、オスキャップ４及びパネル２Ｓ，２Ｌに基づいて説明する。なお、メスキャップ３及びオスキャップ４は、樹脂を一体成型したものであり、パネル２Ｓ，２Ｌは、透明なガラス板からなる。
【０００９】
図３は、メスキャップ３の詳細図であり、（ａ）は窓５に取り付けた際の正面図、（ｂ）は側面図、（ｃ）は背面図、（ｄ）は下面図、（ｅ）はＢ−Ｂ線断面図である。なお、以下のメスキャップ３の説明においては、図３（ａ）の手前側を外側（窓５に取り付けた状態におけるパネル体の見込方向外側）、奥側を内側（窓５に取り付けた状態におけるパネル体の見込方向内側）とする。図示のように、メスキャップ３は、正方形環状の鍔部３２を有しており、鍔部３２の内周側の四辺に、斜面を形成してある。このうち隣接する二辺の斜面は緩斜面３３ａであり、幅（窓５に取り付けた状態における見付寸法）が鍔部３２の内寸幅の略１／３であって、メスキャップ３の厚さ（窓５に取り付けた状態における見込寸法）よりも大きい。一方、他の二辺の斜面は急斜面３３ｂであり、幅はメスキャップ３の厚さよりも小さい。そして、鍔部３２の内周側の、緩斜面３３ａ及び急斜面３３ｂが存在しない部分が開口部３１となる。開口部３１は、正方形で、一辺の長さが鍔部３２の内寸幅の略２／３となる。また、緩斜面３３ａと急斜面３３ｂとで幅が異なるので、開口部３１はメスキャップ３の中心からずれた位置に形成される。このように形成したメスキャップ３は、その開口面積が、内側（図３（ａ）における奥側）においては開口部３１の大きさとなり、外側（図３（ａ）における手前側）においては鍔部３２の内寸の大きさとなっており、開口面積が内側から外側に向けて広がった形状となっている。
【００１０】
そして、開口部３１の周縁部（緩斜面３３ａ及び急斜面３３ｂの内周側端部３４）の内側面は、見付方向に平行な面になっていて、内周側挟持面３４ｔとしてある。また、内周側挟持面３４ｔの外周側の四周に、内側に向けて突出する突条３５を形成してあって、突条３５の内周側面を内周側壁面３５ｓとしてあり、突条３５の内側面を外周側挟持面３５ｔとしてある。さらに、突条３５の四辺のうち、緩斜面３３ａ側の外周側には、内側に向けて突出する突出片３６を形成してある。ただし、突出片３６は、突条３５よりもさらに内側に突出しており、また開口部３１の角部近傍（各辺の両端）の計四箇所にのみ形成してある。また、突条３５及び突出片３６の外周側には、内側に向けて突出する延出片３７を形成してある。ただし、延出片３７は、突出片３６よりもさらに内側に突出しており、急斜面３３ｂ側においては突条３５と隙間なく一体に形成してあって、メスキャップ３の外周部の四周を囲んでいる。そして、突出片３６及び急斜面３３ｂ側の延出片３７の内周側面を外周側壁面３６ｓ，３７ｓとしてある。また、内周側壁面３５ｓの緩斜面３３ａ側には、各辺の両端近傍に、一つずつ断面半円形状の突起３５ｐを形成してある。同様に、突出片３６の外周側壁面３６ｓにも、それぞれ一つずつ断面半円形状の突起３６ｐを形成してある。そして、緩斜面３３ａ側においては、延出片３７の外周側面に、急斜面３３ｂ側においては、急斜面３３ｂの外周側面に、爪部３８を形成してある。爪部３８は、各辺に二つずつ設けてあり、内側に緩やかな傾斜を有し、外側に垂直面を有する形状となっている。
【００１１】
また、図４は、オスキャップ４の詳細図であり、（ａ）は窓５に取り付けた際の正面図、（ｂ）は側面図、（ｃ）は背面図、（ｄ）は下面図、（ｅ）はＣ−Ｃ線断面図である。なお、以下のオスキャップ４の説明においては、図４（ａ）の手前側を外側（窓５に取り付けた状態におけるパネル体の見込方向外側）、奥側を内側（窓５に取り付けた状態におけるパネル体の見込方向内側）とする。図示のように、オスキャップ４は、正方形環状の鍔部４２を有しており、鍔部４２の内周側の四辺に、斜面を形成してある。このうち隣接する二辺の斜面は緩斜面４３ａであり、幅（窓５に取り付けた状態における見付寸法）が鍔部４２の内寸幅の略１／３であって、オスキャップ４の厚さ（窓５に取り付けた状態における見込寸法）よりも大きい。一方、他の二辺の斜面は急斜面４３ｂであり、幅はオスキャップ４の厚さよりも小さい。そして、鍔部４２の内周側の、緩斜面４３ａ及び急斜面４３ｂが存在しない部分が開口部４１となる。開口部４１は、正方形で、一辺の長さが鍔部４２の内寸幅の略２／３となる。また、緩斜面４３ａと急斜面４３ｂとで幅が異なるので、開口部４１はオスキャップ４の中心からずれた位置に形成される。このように形成したオスキャップ４は、その開口面積が、内側（図４（ａ）における奥側）においては開口部４１の大きさとなり、外側（図４（ａ）における手前側）においては鍔部４２の内寸の大きさとなっており、開口面積が内側から外側に向けて広がった形状となっている。
【００１２】
そして、開口部４１の周縁部（緩斜面４３ａ及び急斜面４３ｂの内周側端部４４）の内側面は、見付方向に平行な面になっていて、内周側挟持面４４ｔとしてある。また、内周側挟持面４４ｔの外周側の四周に、内側に向けて突出する突条４５を形成してあって、突条４５の内側面を外周側挟持面４５ｔとしてある。さらに、突条４５の四辺のうち、緩斜面４３ａ側の外周側には、内側に向けて突出する突出片４６を形成してある。ただし、突出片４６は、突条４５よりもさらに内側に突出している。また、突出片４６の外周側には、内側に向けて突出する延出片４７を形成してある。ただし、延出片４７は、突出片４６と同じ突出高さであり、また緩斜面４３ａ側の辺から急斜面３３ｂ側の辺へ延びて突条４５と繋がっており、突条４５と延出片４７とでオスキャップ４の外周部の四周を囲んでいる。そして、緩斜面４３ａ側においては、延出片４７の外周側面に、急斜面４３ｂ側においては、急斜面４３ｂの外周側面に、爪部４８を形成してある。爪部４８は、各辺に二つずつ設けてあり、内側に緩やかな傾斜を有し、外側に垂直面を有する形状となっている。
【００１３】
このように構成したメスキャップ３及びオスキャップ４を窓５の表裏に取り付ける際には、まず、メスキャップ３にパネル２Ｓ，２Ｌを嵌め込んで開口部３１を塞ぐ。パネル２Ｓ，２Ｌは正方形であるが、メスキャップ３には、辺の長さ（見付寸法）が異なる二種類のパネル２Ｓ，２Ｌを選択的に取付可能となっている。すなわち、図５（ａ）に示すように、小さいパネル２Ｓは、その見付面をメスキャップ３の内周側挟持面３４ｔに当接させ、内周側壁面３５ｓの内周側に納める。この際、内周側壁面３５ｓに設けた突起３５ｐが、パネル２Ｓの見込面に当接することで、パネル２Ｓが固定される。一方、図５（ｂ）に示すように、大きいパネル２Ｌは、その見付面をメスキャップ３の外周側挟持面３５ｔに当接させ、外周側壁面３６ｓ，３７ｓの内周側に納める。この際、外周側壁面３６ｓに設けた突起３６ｐが、パネル２Ｌの見込面に当接することで、パネル２Ｌが固定される。このようにパネル２Ｓ，２Ｌを取り付けると、内周側壁面３５ｓは外周側壁面３６ｓ，３７ｓの内周側に位置しているので、小さいパネル２Ｓは大きいパネル２Ｌの見付方向内周側に位置する。また、内周側挟持面３４ｔは外周側挟持面３５ｔよりも見込方向外側に位置しているので（図３（ｅ））、小さいパネル２Ｓは大きいパネル２Ｌよりメスキャップ３の見込方向外側に位置する。
【００１４】
そして、パネル２Ｓ，２Ｌを嵌め込んだメスキャップ３と、オスキャップ４を、板体１の窓５の一方側及び他方側からそれぞれ取り付ける。窓５とメスキャップ３及びオスキャップ４は正方形であるから、メスキャップ３及びオスキャップ４を９０度回転させて、四通りの向きで取り付けることができるが、メスキャップ３とオスキャップ４は、開口部３１，４１の位置が一致するように、すなわち、緩斜面３３ａ，４３ａと急斜面３３ｂ，４３ｂの向きが一致するように取り付けられる。図１に示すように、メスキャップ３及びオスキャップ４は、何れも鍔部３２，４２が表面側を向くようにして、鍔部３２，４２の反対側を窓５の開口部分に挿入する。この際、爪部３８，４８は内側に緩やかな傾斜を有しているから、挿入は容易である。挿入すると、鍔部３２，４２が板体１の表面板１２の表面に係合し、爪部３８，４８が表面板１２の背面に係合して、鍔部３２，４２と爪部３８，４８で表面板１２を挟み込み、メスキャップ３及びオスキャップ４が窓５に固定され、抜けることを防ぐ。
【００１５】
そして、板体１の見込寸法が小さい場合、すなわち、メスキャップ３に小さいパネル２Ｓを嵌め込んだ場合、図１（ａ）に示すように、オスキャップ４の内周側挟持面４４ｔがパネル２Ｓの見付面に他方側から当接し、メスキャップ３の内周側挟持面３４ｔとオスキャップ４の内周側挟持面４４ｔとでパネル２Ｓを挟み込む。この際、オスキャップ４の突条４５は、緩斜面４３ａ側においてはパネル２Ｓとメスキャップ３の突出片３６の間に納まり、急斜面４３ｂ側においてはパネル２Ｓとメスキャップ３の延出片３７の間に納まる。また、緩斜面３３ａ，４３ａ側の外周部においては、オスキャップ４の延出片４７の外周側面がメスキャップ３の延出片３７の内周側面に当接して両者が重なり合い、急斜面３３ｂ，４３ｂ側の外周部においては、オスキャップ４の突条４５の外周側面がメスキャップ３の延出片３７の内周側面に当接して両者が重なり合っており、外周部の全周にわたってメスキャップ３とオスキャップ４が重合していて隙間がない。
【００１６】
一方、板体１の見込寸法が大きい場合、すなわち、メスキャップ３に大きいパネル２Ｌを嵌め込んだ場合、図１（ｂ）に示すように、オスキャップ４の外周側挟持面４５ｔがパネル２Ｌの見付面に他方側から当接し、メスキャップ３の外周側挟持面３５ｔとオスキャップ４の外周側挟持面４５ｔとでパネル２Ｌを挟み込む。この際、メスキャップ３及びオスキャップ４の、緩斜面３３ａ，４３ａ及び急斜面３３ｂ，４３ｂの内周側端部３４，４４は、開口の内周側に突出した状態となる。また、緩斜面３３ａ，４３ａ側の外周部においては、オスキャップ４の延出片４７の外周側面がメスキャップ３の延出片３７の内周側面に当接して両者が重なり合い、急斜面３３ｂ，４３ｂ側の外周部においては、オスキャップ４の突条４５の先端部外周側がメスキャップ３の延出片３７の先端部内周側に当接しており、外周部の全周にわたってメスキャップ３とオスキャップ４が重合又は当接していて隙間がない。
【００１７】
このように、本発明のパネル体によれば、見付寸法の異なるパネル２Ｓ，２Ｌを取り付けることにより、表裏のメスキャップ３とオスキャップ４を合わせた見込寸法を異ならせることができる。すなわち、小さいパネル２Ｓを選択した場合、メスキャップ３においては、内周側挟持面３４ｔが外周側挟持面３５ｔよりも見込方向外側に位置しているので、小さいパネル２Ｓは大きいパネル２Ｌよりメスキャップ３の見込方向外側位置に取り付けられる。また、オスキャップ４においては、内周側挟持面４４ｔが外周側挟持面４５ｔよりも見込方向外側に位置しているので、小さいパネル２Ｓには大きいパネル２Ｌよりオスキャップ４の見込方向外側位置で当接する。よって、板体１の両側からメスキャップ３及びオスキャップ４を取り付けると、パネル２Ｓに対して両キャップ３，４はより見込方向内側に位置して、表裏のメスキャップ３とオスキャップ４を合わせた見込寸法は小さくなる。逆に、大きいパネル２Ｌを選択した場合、表裏のメスキャップ３とオスキャップ４を合わせた見込寸法は大きくなる。これにより、板体１の見込寸法が異なるパネル体に対して、メスキャップ３とオスキャップ４を兼用することができる。この際、二種類の板体１の見込寸法の差異に対して、メスキャップ３及びオスキャップ４における内周側挟持面３４ｔ，４４ｔと外周側挟持面３５ｔ，４５ｔの段差の合計が等しくなるように、両キャップ３，４を形成してあるので、パネル２Ｓ，２Ｌの変更により、メスキャップ３とオスキャップ４を合わせた見込寸法が二種類の板体１の見込寸法の差異分だけ変化する。また、メスキャップ３とオスキャップ４の突出片３６，４６同士、緩斜面３３ａ，４３ａ側におけるメスキャップ３とオスキャップ４の延出片３７，４７同士及び急斜面３３ｂ，４３ｂ側におけるメスキャップ３の延出片３７とオスキャップ４の突条４５の見付方向位置がずれているので、メスキャップ３とオスキャップ４を相互に重合させて、両者を合わせた見込寸法を変化させられる。このようにキャップ３，４を兼用すれば、見込寸法の異なる二種類の板体１に対して、メスキャップ３、オスキャップ４及び見付寸法の異なる二種類のパネル２Ｓ，２Ｌの計四点の部品を用意すればよい。従来は、板体の見込寸法に合わせた専用のモールを窓の各辺にそれぞれ取り付けており、表裏のモール八点を二種類とパネルの計十七点の部品が必要だったので、本発明により、部品点数が少なくなり、費用を抑えることができる。
【００１８】
また、小さいパネル２Ｓを選択した場合、メスキャップ３及びオスキャップ４の内周側挟持面３４ｔ，４４ｔで挟むので、パネル２Ｓと、緩斜面３３ａ，４３ａ及び急斜面３３ｂ，４３ｂの内周側端部３４，４４が隙間なく密接するため、意匠性が良好である。一方、大きいパネル２Ｌを選択した場合、メスキャップ３及びオスキャップ４の外周側挟持面３５ｔ，４５ｔで挟むので、パネル２Ｌと、緩斜面３３ａ，４３ａ及び急斜面３３ｂ，４３ｂの内周側端部３４，４４の間に隙間が生じるが、開口の内周側に突出した内周側端部３４，４４により、パネル２Ｌと外周側挟持面３５ｔ、４５ｔの当接部が隠されて隙間がないように見えるので、意匠性は損なわれない。さらに、メスキャップ３に内周側壁面３５ｓ及び外周側壁面３６ｓ，３７ｓを設けてあって、パネル２Ｓ，２Ｌをその何れかの内周側に納めればよいので、パネル２Ｓ，２Ｌの位置決めが容易であり、また内周側壁面３５ｓ及び外周側壁面３６ｓに突起３５ｐ，３６ｐを設けてあるので、納めたパネル２Ｓ，２Ｌのガタツキが抑えられる。また、メスキャップ３の突出片３６（外周側壁面３６ｓ）は、開口部３１の角部近傍にのみ設けてあるので、突出片３６同士の間からシリコーン樹脂などのシーリング材を注入して、さらにパネル２Ｓ，２Ｌのガタツキを抑えることもできる。さらに、メスキャップ３及びオスキャップ４は、鍔部３２，４２と爪部３８，４８で板体１の表面板１２を挟み込んで窓５に固定されており、またパネル２Ｓ，２Ｌは、メスキャップ３及びオスキャップ４の内周側挟持面３４ｔ，４４ｔ又は外周側挟持面３５ｔ，４５ｔに挟み込まれて固定されているので、別途メスキャップ３及びオスキャップ４を板体１に固定するための部材や、パネルを挟持するためのビート材などの部材が不要である。また、何れのパネル２Ｓ，２Ｌを選択した場合であっても、メスキャップ３及びオスキャップ４は外周部の全周にわたって重合又は当接していて隙間がないので、板体１の芯材１１の切屑などがメスキャップ３とオスキャップ４の間に侵入してパネル２Ｓ，２Ｌを汚損することを防ぎ、意匠性が良好な状態を維持する。
【００１９】
さらに、キャップ３，４の開口面積が見込方向外側に向けて広がっており、特にキャップ３，４が中心からずれた位置に開口部３１，４１を有していて、二つの緩斜面３３ａ，４３ａを設けてあり、この緩斜面３３ａ，４３ａの見付寸法がキャップ３，４の見込寸法よりも大きいので、パネル体の正面から窓５を見た際に、遠近法の視覚効果によりキャップ３，４の外縁部に対して内縁部が実際よりも奥側に位置するように見える。よって、パネル体自体が薄くても奥行き感のある印象のものになり、またパネル体が実際よりも厚く見え、頑丈な印象のものになる。そして、同じくキャップ３，４の開口面積が外側に向けて広がっていることにより、室外側から効率よく光を取り込み、また室内側に拡散させて、窓５のパネルをより小さくしても、室内を明るくすることができる。また、キャップ３，４が中心からずれた位置に開口部３１，４１を有しており、キャップ３，４を回転させて取り付けることで開口部３１，４１の位置が変化する。正方形のキャップ３，４であれば開口部３１，４１の位置は四通りであり、窓５ごとに開口部３１，４１の位置を揃えたり異ならせたりして、パネル体の意匠を好みに変化させることができる。なお、キャップ３，４は一体成型されたものなので、一つの金型により製造できるから、製造費用を抑えられる。そして、キャップ３，４は、窓５に嵌め込むだけで取り付けられ、その際、鍔部３２，４２及び爪部３８，４８が板体１の表面板１２に係合することにより固定されるので接着剤が不要であるから、施工性がよい。
【００２０】
本発明は、上記の実施形態に限定されない。たとえば、メスキャップ及びオスキャップの内周側挟持面及び外周側挟持面や、メスキャップの内周側壁面及び外周側壁面は、高さの異なる突条や突出片により形成してもよいし、階段状の段部により形成してもよい。また、緩斜面や急斜面の形状は、意匠性を考慮して自在に設定できる。さらに、キャップを窓に取り付けるための構造についても、鍔部と爪部によるもののほか、板体の構造などに応じて適宜設定できる。また、窓及びキャップの形状は、正方形に限られず、多角形や円形などであってもよい。さらに、窓の数や配置は、採光性や意匠性を考慮して自在に設定でき、組み合わせによって、視線の抜けや光の明暗を調整できる。また、パネルは着色したものや不透明なものであってもよく、各窓において色彩を異ならせてもよい。さらに、板体の構造は、芯材に発泡ウレタンを用いたものや、表面板に金属や樹脂を用いたものなど、どのようなものであってもよい。
【符号の説明】
【００２１】
１  板体
２Ｓ  小さいパネル
２Ｌ  大きいパネル
３  メスキャップ（一方のキャップ）
４  オスキャップ（他方のキャップ）
５  窓
３１，４１  開口部
【図１】
2015108223.tif 000003
【図２】
2015108223.tif 000004
【図３】
2015108223.tif 000005
【図４】
2015108223.tif 000006
【図５】
2015108223.tif 000007
【図６】
2015108223.tif 000008